(57)【要約】【課題】簡易な構造で、光ファイバテープ心線の単心分岐時又は外被除去時に、しごき部に付着した外被のカスを容易に掃除することができる光ファイバテープ心線の外被除去工具を提供する。【解決手段】複数本の光ファイバを外被で一体化した光ファイバテープ心線の単心分岐又は単心分岐された光ファイバ表面の外被除去を行う光ファイバテープ心線の外被除去工具であって、光ファイバテープ心線又は光ファイバを上下方向から挟圧した状態でしごく一対のしごき部１３，１４と、一対のしごき部１３，１４のそれぞれを一端１１ａ，１２ａにそれぞれ取り付けた板状の一対の把持部１１，１２と、一対の把持部１１，１２のそれぞれの他端１１ｂ，１２ｂ同士を上下方向に連結する連結部１５とを備え、一対の把持部１１，１２が、連結部１５を支点として左右方向に相対的に摺動可能である。【選択図】図１
2014035368.tif 000002
【特許請求の範囲】
【請求項１】
複数本の光ファイバを外被で一体化した光ファイバテープ心線の単心分岐又は前記単心分岐された光ファイバ表面の前記外被除去を行う光ファイバテープ心線の外被除去工具であって、
前記光ファイバテープ心線又は前記光ファイバを上下方向から挟圧した状態でしごく一対のしごき部と、
前記一対のしごき部のそれぞれを一端にそれぞれ取り付けた板状の一対の把持部と、
前記一対の把持部のそれぞれの他端同士を上下方向に連結する連結部
とを備え、
前記一対の把持部が、前記連結部を支点として左右方向に相対的に摺動可能であることを特徴とする光ファイバテープ心線の外被除去工具。
【請求項２】
前記一対の把持部が、互いに同じ形状であることを特徴とする請求項１に記載の光ファイバテープ心線の外被除去工具。
【請求項３】
一方の前記把持部の他端の内側に、第１突起及び第１の穴が設けられ、
他方の前記把持部の他端の内側に、前記第１の突起と嵌合する第２の穴、及び前記第１の穴と嵌合する第２の突起が設けられている
ことを特徴とする請求項１又は２に記載の光ファイバテープ心線の外被除去工具。
【請求項４】
一方の前記把持部の他端の内側に、第１突起及び第１の切り欠き部が設けられ、
他方の前記把持部の他端の内側に、前記第１の突起と嵌合する第２の穴、及び前記第１の穴と嵌合する第２の突起が設けられている
ことを特徴とする請求項１又は２に記載の光ファイバテープ心線の外被除去工具。
【発明の詳細な説明】
【技術分野】
【０００１】
本発明は、光ファイバテープ心線の外被除去工具に関する。
【背景技術】
【０００２】
近年、ＦＴＴＨ（Fiber To The Home）の拡充から、光ファイバケーブルの中間後分岐作業において、光ファイバテープ心線を単心分岐し、単心の光ファイバ心線と接続することが多くなっている。そのため、この作業を容易に行うことができる工具（外被除去工具）が多数提案されている（例えば、特許文献１及び２参照。）。
【０００３】
これらの工具は概ね、一対のしごき部で光ファイバテープ心線を両側から挟圧し、光ファイバテープ心線の長手方向に数回しごくことにより分岐するようになっている。
【先行技術文献】
【特許文献】
【０００４】
【特許文献１】特開２００４−２４００１４号公報
【特許文献２】特開２００７−１７１４１９号公報
【発明の概要】
【発明が解決しようとする課題】
【０００５】
従来の工具は、使用回数を重ねると単心分岐時に除去された外被（テープ化材）のカスがしごき部に詰まる構造であるため、分岐作業時のしごき回数が増えて、最終的には何回しごいても分岐できなくなる。したがって、これらの工具は、数回使用した後、しごき部に付着しているカスを例えば指で摘むことにより除去する必要がある。
【０００６】
しかしながら、特許文献１に記載のピンセットのような構造の場合、一対のしごき部を上下方向に大きく開くことができないため、一対のしごき部の間に指が入りにくく、カスの除去がしにくいという欠点がある。また、特許文献２に記載のステープラーのような構造の場合、一対のしごき部を上下方向に大きく開くことは可能であるが、上下方向に開くための連結部の部品点数が多く複雑化し、工具の単価が上がるという欠点がある。
【０００７】
本発明の目的は、簡易な構造で、光ファイバテープ心線の単心分岐時又は外被除去時に、しごき部に付着した外被のカスを容易に掃除することができる光ファイバテープ心線の外被除去工具を提供することである。
【課題を解決するための手段】
【０００８】
本発明の一態様によれば、複数本の光ファイバを外被で一体化した光ファイバテープ心線の単心分岐又は単心分岐された光ファイバ表面の外被除去を行う光ファイバテープ心線の外被除去工具であって、光ファイバテープ心線又は光ファイバを上下方向から挟圧した状態でしごく一対のしごき部と、一対のしごき部のそれぞれを一端にそれぞれ取り付けた板状の一対の把持部と、一対の把持部のそれぞれの他端同士を上下方向に貫通するように連結する連結部とを備え、一対の把持部が、連結部を支点として左右方向に相対的に摺動可能である光ファイバテープ心線の外被除去工具が提供される。
【０００９】
本発明の一態様において、一対の把持部が、互いに同じ形状であっても良い。
【００１０】
本発明の一態様において、一方の把持部の他端の内側に、第１突起及び第１の溝部が設けられ、他方の把持部の他端の内側に、第１の突起と嵌合する第２の溝部、及び第１の溝部と嵌合する第２の突起が設けられていても良い。
【００１１】
本発明の一態様において、一方の把持部の他端の内側に、第１突起及び第１の切り欠き部が設けられ、他方の把持部の他端の内側に、第１の突起と嵌合する第２の溝部、及び第１の溝部と嵌合する第２の突起が設けられていても良い。
【発明の効果】
【００１２】
本発明によれば、簡易な構造で、光ファイバテープ心線の単心分岐時又は外被除去時に、しごき部に付着した外被のカスを容易に掃除することができる光ファイバテープ心線の外被除去工具を提供することができる。
【図面の簡単な説明】
【００１３】
【図１】本発明の第１の実施の形態に係る外被除去工具の一例を示す側面図である。
【図２】本発明の第１の実施の形態に係る外被除去工具の一例を示す斜視図である。
【図３】本発明の第１の実施の形態に係る外被除去工具を用いた単心分岐作業を説明するための概略図である。
【図４】図４（ａ）〜図４（ｃ）は、本発明の第１の実施の形態に係る外被除去工具を用いた単心分岐作業を説明するための光ファイバテープ心線の断面図である。
【図５】本発明の第１の実施の形態に係る外被除去工具の一例を示す上面図である。
【図６】第１の比較例に係る外被除去工具の側面図である。
【図７】第２の比較例に係る外被除去工具の側面図である。
【図８】実施例に係る平均掃除時間を表す表である。
【図９】本発明の第２の実施の形態に係る外被除去工具の一例を示す側面図である。
【図１０】本発明の第２の実施の形態に係る外被除去工具の一例を示す上面図（その１）である。
【図１１】図１０のＡ−Ａ切断面の断面図である。
【図１２】本発明の第２の実施の形態に係る外被除去工具の一例を示す上面図（その２）である。
【図１３】本発明の第２の実施の形態に係る外被除去工具の他の一例を示す部分斜視図である。
【図１４】本発明の第２の実施の形態に係る外被除去工具の他の一例を示す図１１に対応する断面図である。
【発明を実施するための形態】
【００１４】
次に、図面を参照して、本発明の第１及び第２の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１５】
また、以下に示す第１及び第２の実施の形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。
【００１６】
（第１の実施の形態）
本発明の第１の実施の形態に係る光ファイバテープ心線の外被除去工具（単心分岐工具）は、図１及び図２に示すように、複数本の光ファイバを外被で一体化した光ファイバテープ心線の単心分岐又は外被除去を行うための光ファイバテープ心線の外被除去工具であって、一対のしごき部１３，１４と、一対のしごき部１３，１４のそれぞれを一端１１ａ，１２ａにそれぞれ取り付けた板状の一対の把持部１１，１２と、一対の把持部１１，１２のそれぞれの他端１１ｂ，１２ｂ同士を上下方向に連結する連結部（軸部材）１５とを備える。
【００１７】
一対の把持部１１，１２としては、例えば樹脂を成形したものや、金属板を曲げたものが使用可能である。図１に示すように、一対の把持部１１，１２が同一の形状であれば、１つの金型で済むので好ましいが、一対の把持部１１，１２が異なる形状を有していても良い。一対の把持部１１，１２は、他端１１ｂ，１２ｂ付近で段差部１１ｃ，１２ｃを有する。一対の把持部１１，１２は、他端１１ｂ，１２ｂを支点として一端１１ａ，１２ａが上下方向に開閉可能であり、使用しない状態では一端１１ａ，１２ａが開いた状態となっている。
【００１８】
一対のしごき部１３，１４は、ナイロン等からなるブラシ状であっても良く、サンドペーパー等からなるヤスリ状であっても良い。一対のしごき部１３，１４と一対の把持部１１，１２とは、両面テープや接着剤等を用いて接着されている。一対のしごき部１３，１４は、光ファイバテープ心線又は単心分岐後の光ファイバを上下方向から挟圧した状態でしごくことにより、光ファイバテープ心線の外被又は光ファイバの被覆を除去することができる。
【００１９】
連結部１５は、一対の把持部１１，１２のそれぞれの他端１１ｂ，１２ｂ同士を上下方向に貫通するように連結する。連結部１５としては、ネジやリベット等が使用可能である。図１では、連結部１５の一例としてネジを示しているが、ボルトとナットで構成しても良い。
【００２０】
図３に示すように、本発明の第１の実施の形態に係る外被除去工具１０を用いて中間後分岐作業を行う場合、作業者は一対の把持部１１，１２を閉じるように握り、一対のしごき部１３，１４で光ファイバテープ心線２０を挟圧する。この状態で、光ファイバテープ心線２０の長手方向に、一対のしごき部１３，１４と光ファイバテープ心線２０とを相対的に繰り返し移動し、光ファイバテープ心線２０をしごく。
【００２１】
光ファイバテープ心線２０は、図４（ａ）に示すように、例えば４心の光ファイバ２１と、４心の光ファイバ２１を一体化した外被（テープ化材）２５を備える。光ファイバ２１のそれぞれは、コア２２及びクラッド２３と、クラッド２３の外周に設けられた被覆層２４等を有する。このような光ファイバテープ心線２０をしごくことにより、図４（ｂ）に示すように単心分岐することができる。更に、図４（ｂ）に示した単心分岐された光ファイバ２１のそれぞれを、一対のしごき部１３，１４で挟圧した状態で、光ファイバ２１の長手方向に相対的に移動してしごくことにより、図４（ｃ）に示すように光ファイバ２１の表面に残存していた外被２５を除去することができる。
【００２２】
上述した図４（ｂ）に示すような光ファイバテープ心線２０の単心分岐、及び図４（ｃ）に示すような光ファイバ２１表面の外被２５の除去により、一対のしごき部１３，１４には除去した外被２５のカスが付着する。
【００２３】
本発明の第１の実施の形態に係る外被除去工具によれば、一対の把持部１１，１２が上下方向に開閉可能であることに加え、図５に示すように、連結部１５を支点（中心軸）にして左右方向に相対的に摺動（回動）可能である。この結果、単心分岐及び外被除去作業時には対向している一対のしごき部１３，１４の位置を相対的にずらすことができ、一対のしごき部１３，１４のそれぞれの前面には障害物がなくなるため、一対のしごき部１３，１４に付着したカスを指等で容易に除去することができる。なお、一対の把持部１１，１２の左右方向への動き易さは、連結部１５による一対の把持部１１，１２の固定の強弱により調整可能である。
【００２４】
更に、連結部１５を支点（中心軸）にして一対の把持部１１，１２を左右方向に相対的に稼働させる動作は、作業者が片手で容易に行うことができ、作業性を向上させることができる。
【００２５】
ここで、図６に、第１の比較例に係る外被除去工具を示す。第１の比較例に係る外被除去工具は、Ｖ字状の把持部１１０と、把持部１１０の両端に取り付けた一対のしごき部１１１，１１２を有する。第１の比較例に係る外被除去工具は、一対のしごき部１１１，１１２同士の間隔が狭く、把持部１１０が一体型のため、一対のしごき部１１１，１１２同士を上下に開くこともほとんどできない。このため、一対のしごき部１１１，１１２の間に指を入れにくく、掃除がしにくい。これに対して、本発明の第１の実施の形態に係る外被除去工具によれば、図５に示すように一対の把持部１１，１２を左右方向に摺動させることにより容易に掃除することができる。
【００２６】
また、図７に、第２の比較例に係る外被除去工具を示す。第２の比較例に係る外被除去工具は、一対の把持部１２１，１２２と、一対のしごき部１２３，１２４と、ストッパ１２５，１２６と、連結部１２７，１２８，１２９とを有する。第２の比較例に係る外被除去工具では、図示を省略しているが、一対の把持部１２１，１２２を開く方向に付勢するばね部も必要となる。第２の比較例に係る外被除去工具は、ステープラーのように一対の把持部１２１，１２２を上下方向に開くことが可能である。しかしながら、一対の把持部１２１，１２２を上下方向に開くための機構が複雑となり、部品点数も増加する。これに対して、本発明の第１の実施の形態に係る外被除去工具によれば、一対の把持部１１，１２を上下方向に開かなくても良いため、上下方向に開くための部品が不要となり、簡易な構造で且つ安価となる。
【００２７】
本発明の第１の実施の形態に係る外被除去工具の製造方法としては、金型又は光造形等により一対の把持部１１，１２を作製する。そして、一対の把持部１１，１２の一端１１ａ，１２ａに両面テープや接着剤等を用いて一対のしごき部１３，１４を取り付け、一対の把持部１１，１２の他端１１ｂ，１２ｂを連結部１５で連結することにより製造可能である。
【００２８】
（実施例）
本発明の第１の実施の形態、図６に示した第１の比較例、及び図７に示した第２の比較例に係る外被除去工具をそれぞれ作製し、掃除のし易さについて比較を行った。各外被除去工具について掃除が完了するまでの時間を測定し、その平均値を算出した。
【００２９】
その結果を図８に示す。図８から明らかなように、本発明の第１の実施の形態に係る外被除去工具における掃除時間が、第１の比較例に係る外被除去工具に比べて１／４以下となり、第２の比較例に係る外被除去工具と同程度の掃除のし易さを得ることができた。また、本発明の第１の実施の形態に係る外被除去工具は、第２の比較例に係る外被除去工具に比べて部品点数も少ないため、製造コストを低減することができる。
【００３０】
（第２の実施の形態）
本発明の第２の実施の形態に係る外被除去工具は、図９に示すように、複数本の光ファイバを外被で一体化した光ファイバテープ心線の単心分岐又は外被除去を行うための光ファイバテープ心線の外被除去工具であって、一対のしごき部３３，３４と、一対のしごき部３３，３４のそれぞれを一端３１ａ，３２ａにそれぞれ取り付けた板状の一対の把持部３１，３２と、一対の把持部３１，３２のそれぞれの他端３１ｃ，３２ｃ同士を上下方向に貫通するように連結する連結部３５とを備える。
【００３１】
一対の把持部３１，３２の一端３１ａ，３２ａは、半球状の側面を有する。一対の把持部３１，３２の他端３１ｃ，３２ｃ付近にはばね部３１ｂ，３２ｂが設けられており、これを支点として一対の把持部３１，３２の一端３１ａ，３２ａは上下方向に開閉可能である。
【００３２】
図１０及び図１１に示すように、把持部３１の他端３１ｃの内側には穴３６と突起３８が設けられ、把持部３２の他端３２ｃの内側には突起３７と穴３９が設けられている。
【００３３】
本発明の第２の実施の形態に係る外被除去工具の他の構成は、本発明の第１の実施の形態と実質的に同様であるので、重複した説明を省略する。
【００３４】
本発明の第２の実施の形態に係る外被除去工具を用いた単心分岐作業又は外被除去作業は、本発明の第１の実施の形態と同様に行うことができる。更に、本発明の第２の実施の形態によれば、図１０及び図１１に示すように把持部３１の穴３６と把持部３２の突起３７とが嵌合し、把持部３１の突起３８と把持部３２の穴３９とが嵌合することにより、一対の把持部３１，３２が左右方向に稼働しにくくなり、安定的に作業を行うことができる。
【００３５】
一方、一対のしごき部３３，３４の掃除を行うときは、把持部３１の穴３６と把持部３２の突起３７との嵌合状態、及び把持部３１の突起３８と把持部３２の穴３９との嵌合状態を外して、図１２に示すように、連結部３５を支点として、一対の把持部３１，３２を相対的に左右方向に稼働させる。この結果、単心分岐及び外被除去作業時には対向している一対のしごき部３３，３４の位置を相対的にずらすことができ、一対のしごき部３３，３４のそれぞれの前面には障害物がなくなるため、一対のしごき部３３，３４に付着したカスを指等で容易に除去することができる。
【００３６】
更に、図１３及び図１４に示すように、把持部３１の他端３１ｃの内側には切り欠き部３６ａと突起３８が設けられ、把持部３２の他端３２ｃの内側には突起３７と切り欠き部３９ａが設けられていても良い。このように、切り欠き部３６ａ，３９ａを設けたことにより、一対の把持部３１，３２の左右方向への稼働が容易となる。
【００３７】
（その他の実施の形態）
上記のように、本発明は実施の形態によって記載したが、この開示の一部をなす論述及び図面はこの発明を限定するものであると理解すべきではない。この開示から当業者には様々な代替実施の形態、実施例及び運用技術が明らかとなろう。
【００３８】
本発明の第１及び第２の実施の形態において、一対の把持部１１，１２，３１，３２を示したが、一対の把持部の構造はこれらに限定されるものではない。
【００３９】
本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００４０】
１０…外被除去工具
１１，１２，３１，３２…把持部
１１ａ，１２ａ，３１ａ，３２ａ…一端
１１ｂ，１２ｂ，３１ｃ，３２ｃ…他端
１１ｃ，１２ｃ…段差部
１３，１４，３３，３４…しごき部
１５，３５…連結部
２０…光ファイバテープ心線
２１…光ファイバ
２２…コア
２３…クラッド
２４…被覆層
２５…外被（テープ化材）
３１ｂ，３２ｂ…ばね部
３６，３９…穴
３６ａ，３９ａ…切り欠き部
３７，３８…突起
【図１】
2014035368.tif 000003
【図２】
2014035368.tif 000004
【図３】
2014035368.tif 000005
【図４】
2014035368.tif 000006
【図５】
2014035368.tif 000007
【図６】
2014035368.tif 000008
【図７】
2014035368.tif 000009
【図８】
2014035368.tif 000010
【図９】
2014035368.tif 000011
【図１０】
2014035368.tif 000012
【図１１】
2014035368.tif 000013
【図１２】
2014035368.tif 000014
【図１３】
2014035368.tif 000015
【図１４】
2014035368.tif 000016